(57)【特許請求の範囲】
【請求項１】
歪抵抗素子を備えたレバー部材と、可動接点及び固定接点よりなるスイッチと、前記レバー部材を操作する第１操作部と、前記スイッチを操作する第２操作部と、当該第２操作部を一方向に付勢する戻しばねを有し、未操作時には、前記第２操作部が前記戻しばねの弾性力によって前記第１操作部の一部より外向きに突出しており、操作時には、操作者の手指により前記第２操作部が前記第１操作部内に押し込まれて操作者の手指による前記第１操作部の操作が可能になることを特徴とするスイッチ付き入力装置。
【請求項２】
前記レバー部材及び前記第１操作部に貫通孔を開設し、前記レバー部材に開設された貫通孔内に前記第２操作部と前記戻しばねとを内挿すると共に、前記第１操作部に開設された貫通孔より前記第２操作部の一端を外向きに突出させたことを特徴とする請求項１に記載のスイッチ付き入力装置。
【請求項３】
前記レバー部材に前記第１操作部を圧入固定したことを特徴とする請求項１に記載のスイッチ付き入力装置。
【請求項４】
前記レバー部材として、前記第１操作部が取り付けられる基体部と、当該基体部より直角方向に張り出された梁部とを有し、当該梁部に前記歪抵抗素子が設定されたものを用いたことを特徴とする請求項１に記載のスイッチ付き入力装置。
【請求項５】
前記梁部を、前記基体部の軸線方向に対して第１の方向に張り出された低剛性の第１梁部と、当該第１梁部と直交する方向に張り出された高剛性の第２梁部とから構成し、前記低剛性の第１梁部にのみ前記歪抵抗素子を設定したことを特徴とする請求項４に記載のスイッチ付き入力装置。
【請求項６】
前記レバー部材に前記第２梁部の剛性を高めるための梁補強部を形成したことを特徴とする請求項５に記載のスイッチ付き入力装置。
【請求項７】
前記歪抵抗素子が所要の配線パターンを有するフレキシブル配線基板に形成され、当該フレキシブル配線基板が前記レバー部材に接着されていることを特徴とする請求項１に記載のスイッチ付き入力装置。
【請求項８】
前記歪抵抗素子が前記レバー部材に形成され、当該歪抵抗素子の端子部が前記レバー部材に接着されたフレキシブル配線基板上の配線パターンと電気的に接続されていることを特徴とする請求項１に記載のスイッチ付き入力装置。
【請求項９】
前記スイッチとして、固定接点及びアクチュエータ駆動回路並びにアクチュエータ制御回路が形成されたプリント回路基板と、可動接点が形成された可撓性シートと、これらプリント回路基板と可撓性シートとの間に配設されたスペーサよりなるメンブレンスイッチを用いたことを特徴とする請求項１に記載のスイッチ付き入力装置。
【請求項１０】
前記レバー部材、第１操作部、第２操作部及び戻しばねがホルダの片面に一体に取り付けられ、前記ホルダには、前記スイッチを含む所要の部材を当該ホルダの他の片面に取り付けるための舌片が形成されていることを特徴とする請求項１に記載のスイッチ付き入力装置。
【請求項１１】
前記歪抵抗素子をアクチュエータ駆動回路に組み込まれたアクチュエータ調整手段として用いると共に、前記スイッチを前記アクチュエータ駆動回路及びアクチュエータ制御回路の電源スイッチとして用い、前記スイッチがオン操作されている期間のみ前記アクチュエータ駆動回路及びアクチュエータ制御回路に電源を供給することを特徴とする請求項１に記載のスイッチ付き入力装置。
【請求項１２】
前記歪抵抗素子をアクチュエータ駆動回路に組み込まれたアクチュエータ調整手段として用いると共に、前記スイッチを前記アクチュエータ駆動回路の電源スイッチとして用い、前記スイッチがオフ操作されている期間中、アクチュエータ制御回路が繰り返し前記歪抵抗素子より入力される歪検出信号を更新し、前記スイッチがオン操作される直前の前記歪検出信号を基準として前記歪抵抗素子のゼロ点補正を行うことを特徴とする請求項１に記載のスイッチ付き入力装置。
【発明の詳細な説明】
【０００１】
【発明の属する技術分野】
本発明は、歪抵抗素子とスイッチとを備えたスイッチ付き入力装置に係り、特に、撮像映像機器（例えば、ビデオ一体型カメラ）のズーム機構等に適用可能なスイッチ付き入力装置に関する。
【０００２】
【従来の技術】
従来より、例えばパソコン等の情報処理機器に備えて情報の入力を行うポインティングデバイスとして、歪抵抗素子とスイッチとを備えたスイッチ付き入力装置が用いられている。
【０００３】
図１３乃至図１５に、従来より知られているこの種のスイッチ付き入力装置の一例を示す。図１３は従来例に係るスイッチ付き入力装置の要部断面図、図１４は従来例に係るスイッチ付き入力装置の分解斜視図、図１５は従来例に係るスイッチ付き入力装置の使用状態の説明図である。
【０００４】
図１３及び図１５に示すように、本例のスイッチ付き入力装置は、平面形状がＴ字形に形成されたベース１０１と、当該ベース１０１と一体に形成された中空角柱状のダイヤフラム１０２と、当該ダイヤフラム１０２の各側面に貼り付けられた歪ゲージ（歪抵抗素子）１０３と、前記ダイヤフラム１０２に開設された穴部１０４内に支柱部１０５ａが挿入され、前記穴部１０４に沿って上下動する上部押下子１０５と、当該上部押下子１０５の頭部１０５ｂに固着されたキャップ１０６と、前記穴部１０４内に上下動可能に収納された下部押下子１０７と、当該下部押下子１０７及び前記上部押下子１０５を常時上向きに付勢する戻しばね１０８と、当該戻しばね１０８の一端が当接される皿ばね１０９と、対向に配置された可動接点１１０ａと固定接点１１０ｂよりなるスイッチ１１０とを有し、当該スイッチ１１０の形成部に前記皿ばね１０９が設定されるメンブレンシート１１１とから主に構成されている。
【０００５】
本例のスイッチ付き入力装置は、例えば表示装置に表示されたカーソルの移動及び設定手段として適用される。即ち、図１５に示すように、手指をキャップ１０６上に載せて当該キャップ１０６を前後左右に押圧すると、当該押圧力の方向にダイヤフラム１０２が変形し、当該ダイヤフラム１０２の各側面に貼り付けられた歪ゲージ１０３よりダイヤフラム１０２の変形方向及び変形量に応じた歪検出信号が出力されるので、パソコンに備えられた制御部に当該歪検出信号を取り込み、当該制御部にて前記歪検出信号に応じたカーソルの移動方向及び移動量を演算することによって、表示画面上の所要の位置にカーソルを移動することができる。
【０００６】
このとき、キャップ１０６には、図１５に示すように、手指によって斜め方向の操作力Ｆが加えられるので、上部押下子１０５が穴部１０４内で操作力Ｆの方向に傾き、ダイヤフラム１０２の上面１０２ａに上部押下子１０５の頭部１０５ｂが乗り上げる。このため、上部押下子１０５に係止された下部押下子１０７が下方に移動せず、戻しばね１０８及び皿ばね１０９に荷重が加えられないので、メンブレンシート１１１に形成された各接点１１０ａ，１１０ｂは開いたままの状態に維持され、スイッチ１１０はオフ状態に維持される。
【０００７】
また、カーソルを所望の位置まで移動した後に、キャップ１０６に加えていた斜め方向の操作力Ｆを除き、図１３に示すようにキャップ１０６に押し下げ方向の操作力Ｐを加えると、上部押下子１０５及び下部押下子１０７が戻しばね１０８の弾性力に抗して下方向に移動し、戻しばね１０８に上部押下子１０５及び下部押下子１０７の移動に伴う弾性力が蓄えられる。そして、戻しばね１０８に蓄えられた弾性力が皿ばね１０９の反転荷重を超えた段階で皿ばね１０９の湾曲方向が反転し、メンブレンシート１１１の可動接点１１０ａが皿ばね１０９によって押し下げられるので、可動接点１１０ａと固定接点１１０ｂとが接触し、スイッチ１１０がオン状態に切り換えられる。したがって、当該スイッチ１１０から出力されるスイッチ操作信号を制御部に取り込むことによって、カーソルを表示画面上の所望の位置に設定することができる。
【０００８】
【発明が解決しようとする課題】
ところで、撮像映像機器には、従来、ズーム調整手段として可変抵抗器が備えられ、当該可変抵抗器から出力される抵抗検出信号を電源回路がオン状態に切り換えられている期間中、常にズーム用アクチュエータの制御回路に取り込んでユーザによるズーム調整に備える構成になっているが、操作性の劣化を伴うことなく消費電力の低減を図るため、可変抵抗器に代えて、従来技術の欄に例示したような歪抵抗素子とスイッチとを備えたスイッチ付き入力装置を適用することが検討されている。
【０００９】
即ち、撮像映像機器のズーム調整手段として歪抵抗素子とスイッチとを備えたスイッチ付き入力装置を適用し、当該スイッチ付き入力装置に備えられた歪抵抗素子をズーム用アクチュエータ駆動回路に組み込まれたズーム用アクチュエータ調整手段として用いると共に、前記スイッチ付き入力装置に備えられたスイッチをズーム用アクチュエータ駆動回路及びズーム用アクチュエータ制御回路の電源スイッチとして用い、前記スイッチがオン操作されている期間のみズーム用アクチュエータ駆動回路及びズーム用アクチュエータ制御回路に電源を供給する構成にすると、スイッチがオフ操作されている期間中の電力消費を抑制することができるので、撮像映像機器の消費電力の低減を図ることができ、その連続使用時間を延長することができる。また、歪抵抗素子とスイッチとが一体に備えられたスイッチ付き入力装置を用いると、１本の手指でスイッチの操作とズーム調整とを行うことができるので、撮像映像機器の操作性の劣化も防止することができる。
【００１０】
然るに、図１３乃至図１５に示した従来のスイッチ付き入力装置は、ユーザが手指をキャップ１０６上に載せたときに、必ずしもスイッチ１１０が優先的に操作されず、キャップ１０６に斜め方向の操作力Ｆが加えられた場合には、上部押下子１０５が穴部１０４内で操作力Ｆの方向に傾いてダイヤフラム１０２の上面１０２ａに上部押下子１０５の頭部１０５ｂが乗り上げ、スイッチ１１０をオン状態に切り換えることができないので、撮像映像機器のズーム調整手段としてそのまま適用することができない。
【００１１】
本発明は、かかる従来技術の実状に鑑みてなされたものであって、その課題とするところは、常にスイッチを優先的に操作することができ、撮像映像機器のズーム機構等に適用可能なスイッチ付き入力装置を提供することにある。
【００１２】
【課題を解決するための手段】
本発明は、前記の課題を解決するため、第１に、スイッチ付き入力装置を、歪抵抗素子を備えたレバー部材と、可動接点及び固定接点よりなるスイッチと、前記レバー部材を操作する第１操作部と、前記スイッチを操作する第２操作部と、当該第２操作部を一方向に付勢する戻しばねを有し、未操作時には、前記第２操作部が前記戻しばねの弾性力によって前記第１操作部の一部より外向きに突出しており、操作時には、操作者の手指により前記第２操作部が前記第１操作部内に押し込まれて操作者の手指による前記第１操作部の操作が可能になるという構成にした。
【００１３】
かかる構成によると、操作時に、まず第２操作部が第１操作部内に押し込まれてスイッチがオン操作され、次いで操作者の手指が第１操作部にかかって歪抵抗素子を備えたレバー部材の操作が可能になるので、前記歪抵抗素子をズーム用アクチュエータ駆動回路に組み込まれたズーム用アクチュエータ調整手段として用いると共に、前記スイッチをズーム用アクチュエータ駆動回路及びズーム用アクチュエータ制御回路の電源スイッチとして用い、前記スイッチがオン操作されている期間のみズーム用アクチュエータ駆動回路及びズーム用アクチュエータ制御回路に電源を供給するように構成したときに、確実にスイッチをレバー部材よりも優先的に操作することができ、スイッチがオフ操作されている期間中の電力消費を抑制することができる。よって、撮像映像機器へのスイッチ付き入力装置の適用が可能になり、撮像映像機器の消費電力の低減を図ることができて、その連続使用時間を延長することができる。また、スイッチのオン操作とレバー部材の操作とを１動作で行うことができるので、撮像映像機器の操作性も確保される。
【００１４】
第２に、本発明は、前記第１の課題解決手段におけるレバー部材及び第１操作部に貫通孔を開設し、前記レバー部材に開設された貫通孔内に前記第２操作部と前記戻しばねとを内挿すると共に、前記第１操作部に開設された貫通孔より前記第２操作部の一端を外向きに突出させるという構成にした。
【００１５】
かかる構成によると、レバー部材と第１操作部と第２操作部と戻しばねとを同一直線上に配置することができ、かつ、第２操作部及び戻しばねの設定スペースを省略することができるので、スイッチ付き入力装置をコンパクトに形成することができる。
【００１６】
第３に、本発明は、前記レバー部材に前記第１操作部を圧入固定するという構成にした。
【００１７】
かように、レバー部材に対して第１操作部を圧入固定すると、これらレバー部材と第１操作部との相対的な運動を防止できるので、第１操作部に加えられた力をそのままレバー部材に伝達することができ、レバー部材及びこれに設定された歪抵抗素子を用いたアクチュエータの駆動調整を良好な操作感のもとで確実に行うことができる。また、レバー部材と第１操作部との組立を容易に行うことができるので、スイッチ付き入力装置の製造を効率化することができる。
【００１８】
第４に、本発明は、前記第１の課題解決手段におけるレバー部材として、前記第１操作部が取り付けられる基体部と、当該基体部より直角方向に張り出された梁部とを有し、当該梁部に前記歪抵抗素子が設定されたものを用いるという構成にした。
【００１９】
かように、基体部より張り出された梁部に歪抵抗素子を設定すると、梁部の剛性を調整することによって、レバー部材の操作力と抵抗素子による歪みの検出感度とを任意に設定することができるので、高感度にして操作性に優れたスイッチ付き入力装置を得ることができる。
【００２０】
第５に、本発明は、前記第４の課題解決手段における梁部を、前記基体部の軸線方向に対して第１の方向に張り出された低剛性の第１梁部と、当該第１梁部と直交する方向に張り出された高剛性の第２梁部とから構成し、前記低剛性の第１梁部にのみ前記歪抵抗素子を設定するという構成にした。
【００２１】
かように、低剛性の第１梁部と高剛性の第２梁部とを互いに直交して配置し、低剛性の第１梁部にのみ歪抵抗素子を設定すると、第１操作部に操作力を負荷する際、低剛性の第１梁部の方向に第１操作部を正確に押圧しなくてもレバー部材が自動的に第１梁部の方向に傾動され、歪抵抗素子より歪検出信号を出力されるので、例えば撮像映像機器のズーム調整手段のように、第１操作部を特定の一方向にのみ操作するタイプのスイッチ付き入力装置の操作性を良好なものにすることができる。
【００２２】
第６に、本発明は、前記レバー部材に前記第２梁部の剛性を高めるための梁補強部を形成するという構成にした。
【００２３】
かように、レバー部材に第２梁部の剛性を高めるための梁補強部を形成すると、第１梁部と第２梁部との剛性の差を大きくすることができるので、第１操作部を特定の一方向にのみ操作するタイプのスイッチ付き入力装置の操作性をより良好なものにすることができる。
【００２４】
第７に、本発明は、前記第１の課題解決手段における歪抵抗素子が所要の配線パターンを有するフレキシブル配線基板に形成され、当該フレキシブル配線基板が前記レバー部材に接着されているという構成にした。
【００２５】
かように、歪抵抗素子を所要の配線パターンを有するフレキシブル配線基板に形成し、当該フレキシブル配線基板をレバー部材に接着することによって歪抵抗素子をレバー部材に設定すると、歪抵抗素子が形成されたフレキシブル配線基板をレバー部材に接着するだけで歪抵抗素子をレバー部材に設定することができるので、スイッチ付き入力装置を高能率に製造することができる。
【００２６】
第８に、本発明は、前記第１の課題解決手段における歪抵抗素子がレバー部材に形成され、当該歪抵抗素子の端子部が前記レバー部材に接着されたフレキシブル配線基板上の配線パターンと電気的に接続されているという構成にした。
【００２７】
かように、歪抵抗素子をレバー部材に直接形成すると、レバー部材に対する歪抵抗素子の設定精度を高めることができるので、高精度なスイッチ付き入力装置を得ることができる。
【００２８】
第９に、本発明は、前記第１の課題解決手段におけるスイッチとして、固定接点及びアクチュエータ駆動回路並びにアクチュエータ制御回路が形成されたプリント回路基板と、可動接点が形成された可撓性シートと、これらプリント回路基板と可撓性シートとの間に配設されたスペーサよりなるメンブレンスイッチを用いるという構成にした。
【００２９】
かように、メンブレンスイッチを構成する一方のシート部材として、固定接点及びアクチュエータ駆動回路並びにアクチュエータ制御回路が形成されたプリント回路基板を用いると、メンブレンスイッチのほかにアクチュエータ駆動回路及びアクチュエータ制御回路が形成されたプリント回路基板を別途備える必要がないので、スイッチ付き入力装置の構成を簡略化することができ、スイッチ付き入力装置の製造コストを低減することができる。
【００３０】
第１０に、本発明は、前記レバー部材、第１操作部、第２操作部及び戻しばねがホルダの片面に一体に取り付けられ、前記ホルダには、前記スイッチを含む所要の部材を当該ホルダの他の片面に取り付けるための舌片が形成されているという構成にした。
【００３１】
かように、レバー部材、第１操作部、第２操作部及び戻しばねをホルダの片面に一体に取り付けると、これらの各部材をパッケージ化することができるので、スイッチを含む所要の部材、例えばスイッチ及びプリント回路基板若しくはスイッチ付きプリント回路基板との組立を容易化することができる。また、前記のパッケージ化された部材を任意のスイッチ及びプリント回路基板若しくはスイッチ付きプリント回路基板に組み付けることができるので、スイッチ付き入力装置の汎用性を高めることができる。
【００３２】
第１１に、本発明は、前記第１の課題解決手段における歪抵抗素子をアクチュエータ駆動回路に組み込まれたアクチュエータ調整手段として用いると共に、前記スイッチを前記アクチュエータ駆動回路及びアクチュエータ制御回路の電源スイッチとして用い、前記スイッチがオン操作されている期間のみ前記アクチュエータ駆動回路及びアクチュエータ制御回路に電源を供給するという構成にした。
【００３３】
かかる構成によると、前記スイッチがオン操作されている期間のみ前記アクチュエータ駆動回路及びアクチュエータ制御回路に電源が供給されるので、スイッチがオフ操作されている期間中の電力消費を抑制することができ、当該スイッチ付き入力装置が適用される電気装置の消費電力の低減を図ることができる。
【００３４】
第１２に、本発明は、前記第１の課題解決手段における歪抵抗素子をアクチュエータ駆動回路に組み込まれたアクチュエータ調整手段として用いると共に、前記スイッチを前記アクチュエータ駆動回路の電源スイッチとして用い、前記スイッチがオフ操作されている期間中、アクチュエータ制御回路が繰り返し前記歪抵抗素子より入力される歪検出信号を更新し、前記スイッチがオン操作される直前の前記歪検出信号を基準として前記歪抵抗素子のゼロ点補正を行うという構成にした。
【００３５】
かかる構成によると、スイッチがオフ操作されている期間中もアクチュエータ制御回路が歪検出信号の更新を繰り返し、前記スイッチがオン操作される直前の歪検出信号を基準として歪抵抗素子のゼロ点補正を行うので、歪検出信号のドラフトに起因するアクチュエータの操作誤差を防止することができ、当該スイッチ付き入力装置が適用される電気装置の信頼性を高めることができる。
【００３６】
【発明の実施の形態】
以下、本発明に係るスイッチ付き入力装置の実施形態例を、図１乃至図１０に基づいて説明する。図１は実施形態例に係るスイッチ付き入力装置の分解斜視図、図２は実施形態例に係るスイッチ付き入力装置の組立状態の断面図、図３は実施形態例に係るレバー部材の上面図、図４は実施形態例に係るレバー部材の下面図、図５は図３のＡ方向から見た実施形態例に係るレバー部材の側面図、図６は図３のＢ方向から見た実施形態例に係るレバー部材の側面図、図７は図３のＣ−Ｃ断面図、図８は実施形態例に係るフレキシブル配線基板の上面図、図９は実施形態例に係るホルダの上面図、図１０は図９のＤ方向から見た実施形態例に係るホルダの側面図である。
【００３７】
本例のスイッチ付き入力装置は、図１及び図２に示すように、レバー部材１と、当該レバー部材１の上端部に固着される第１操作部２と、前記レバー部材１の下面に接着されるフレキシブル配線基板３と、前記レバー部材１内に収納される第２操作部４と、当該第２操作部４を常時上向きに付勢する戻しばね５と、前記第２操作部４により押圧されるダンパ６と、前記の各部材１〜６を一体に保持するホルダ７と、前記第２操作部４によりスイッチがオンオフ操作されるメンブレン８と、当該メンブレン８の裏当板９とから構成されている。
【００３８】
レバー部材１は、合成樹脂の成形体をもって形成されており、図３乃至図７に示すように、平面形状が長方形に形成されたブロック状の基体部１１と、当該基体部１１の下端部から直角方向に張り出した第１梁部１２及び第２梁部１３と、各梁部１２，１３の先端部を連結する連結部１４と、前記基体部１１の下端部から前記第２梁部１３の下面にわたる部分に形成された小判形の梁補強部１５を有している。梁補強部１５は、その長軸方向が前記基体部１１の長軸方向と合致するように形成されており、前記ブロック状の基体部１１と共に前記第２梁部１３を補強（補剛）している。したがって、前記第１梁部１２の剛性は第２梁部１３の剛性に比べて低くなっており、前記各梁部１２，１３の下面を剛体よりなる平面に当接して基体部１１に側面方向からの外力を加えたとき、低剛性の第１梁部１２は比較的容易に変形して歪みを生じるが、高剛性の第２梁部１３は容易に変形しないようになっている。
【００３９】
前記基体部１１の相対向する一方の側面には、図２乃至図４に示すように、第１操作部２をスナップ結合するための係止爪１６が突設されている。また、当該基体部１１の中央部には、図２乃至図４及び図７に示すように、第２操作部４を収納するための貫通孔１７が開設されており、当該貫通孔１７は、基体部１１の上端部側に形成された第１小判形孔１７ａと、当該第１小判形孔１７ａの横幅とほぼ等しい直径を有する第１円形孔１７ｂと、当該第１円形孔１７ｂよりも小径の第２円形孔１７ｃと、当該第２円形孔１７ｃの直径よりもやや広い横幅を有する第２小判形孔１７ｄとからなる。さらに、前記各連結部１４には、ホルダ７に形成された舌片を係合するための舌片係合部１８が形成されている。
【００４０】
第１操作部２は、合成樹脂の成形体をもって、前記基体部１１の先端部外面に圧入可能なキャップ状に形成され、図１及び図２に示すように、その頂部には、第２操作部４の上端部を貫通可能な貫通孔２１が開設されている。また、当該第１操作部２の側面部には、前記基体部１１の側面に形成された係止爪１６を係止するための係止孔２２が開設されている。
【００４１】
当該第１操作部２は、図２に示すように、前記基体部１１の先端部外面に圧入され、係止孔２２に係止爪１６を係止することによって前記レバー部材１と一体化される。したがって、第１操作部２に外力を負荷しても、レバー部材１と第１操作部２とが相対的に運動せず、第１操作部２に加えられた力をそのままレバー部材１に伝達することができるので、スイッチ付き入力装置を用いたアクチュエータの駆動調整を良好な操作感のもとで確実に行うことができる。また、第１操作部２を前記基体部１１の先端部外面に圧入し、係止孔２２に係止爪１６を係止するだけでレバー部材１と第１操作部２とを一体化することができるので、組立が容易で、スイッチ付き入力装置の製造を効率的に行うことができる。
【００４２】
フレキシブル配線基板３は、図８に示すように、前記レバー部材１の下面に接着される接着部３１と、所要の配線パターン３２が引き回される非接着部３３とから形成されており、これら接着部３１と非接着部３３とは、切り込み孔３４を介して部分的に連結された状態で分離されている。したがって、接着部３１は、前記レバー部材１の下面に接着した後、非接着部３３の配設状態に関わりなく、前記レバー部材１の変形に伴って自由に変形することができる。前記接着部３１の前記低剛性の第１梁部１２に接着される部分には、歪抵抗素子３５が備えられる。本実施形態例においては、１つの第１梁部１２と対応する部分に２つの歪抵抗素子３５が備えられている。これらの各歪抵抗素子３５は、メンブレン８に備えられたプリント回路基板にてブリッジ結合され、各第１梁部１２の歪みを検出する。また、非接着部３３の端部には、各配線パターン３２に対応する端子部３６が形成されている。
【００４３】
フレキシブル配線基板３の接着部３１は、各歪抵抗素子３５の形成面をレバー部材１側に向け、かつ、各歪抵抗素子３５の形成部を第１梁部１２の所定部分に対向させて、レバー部材１の下面に接着される。これによって、第１梁部１２の歪みを、フレキシブル配線基板３に形成された歪抵抗素子３５により検出することができる。かように、歪抵抗素子３５を所要の配線パターン３２を有するフレキシブル配線基板３に形成し、当該フレキシブル配線基板３をレバー部材１に接着することによって歪抵抗素子３５をレバー部材１に設定すると、歪抵抗素子３５が形成されたフレキシブル配線基板３をレバー部材１に接着するだけで歪抵抗素子３５をレバー部材１に設定することができるので、スイッチ付き入力装置を高能率に製造することができる。
【００４４】
なお、前記の構成に代えて、レバー部材１の第１梁部１２に直接歪抵抗素子３５を形成し、当該歪抵抗素子３５の端子部をレバー部材１の下面に接着されたフレキシブル配線基板３上の配線パターン３２と電気的に接続するという構成をとることもできる。このようにすると、レバー部材１に対する歪抵抗素子３５の設定精度を高めることができるので、高精度なスイッチ付き入力装置を得ることができる。
【００４５】
第２操作部４は、合成樹脂の成形体をもって形成されており、図１及び図２に示すように、第１操作部２に開設された貫通孔２１内に挿通される押圧部４１と、前記基体部１１に開設された第１小判形孔１７ａ内に収納されるストッパ部４２と、前記基体部１１に開設された第１円形孔１７ｂ内に収納されるばね受け部４３と、前記基体部１１に開設された第２円形孔１７ｃ及び第２小判形孔１７ｄを貫通するスイッチ操作部４４とを有している。この第２操作部４は、前記レバー部材１の基体部１１に開設された貫通孔１７内に収納した後、前記レバー部材１の基体部１１に第１操作部２を圧入固定し、当該第１操作部２の頂部に開設された貫通孔２１より押圧部４１の上端部を外向きに突出させることによって、前記レバー部材１及び第１操作部２の組立体内に設定される。前記スイッチ操作部４４の先端部は、図２に示すように、後に説明するダンパ６に当接される。なお、前記押圧部４１は、第２操作部４の操作を第１操作部２の操作に優先して行わせるため、可能な範囲で大型に形成することが好ましい。
【００４６】
戻しばね５は、前記第２操作部４を常時上向きに付勢するものであって、コイルばねを用いることができる。この戻しばね５は、図２に示すように、前記基体部１１に開設された第２円形孔１７ｃ及び第２小判形孔１７ｄ内に収納され、前記第２操作部４のばね受け部４３と後に説明するホルダ７との間に張設される。
【００４７】
ダンパ６は、前記第２操作部４のスイッチ操作部４４によって後に説明するメンブレン８が損傷されるのを防止するためのものであって、例えばゴムなどの弾性体をもって形成される。
【００４８】
ホルダ７は、例えばアルミニウム板などの軽量である程度の剛性を有し、かつ加工しやすい金属板をもって形成されており、図９及び図１０に示すように、前記レバー部材１の平面形状と略同形のベース板５１と、当該ベース板５１の周縁部より上向きに折り上げられた４本のレバー部材取付用舌片５２と、当該ベース板５１の周縁部より下向きに折り下げられた２本のメンブレン取付用舌片５３とを有している。また、ベース板５１の中央部には、前記ダンパ６を内装するための透孔５４が開設されている。図２に示すように、当該ホルダ７の上面には、前記レバー部材１，第１操作部２，フレキシブル配線基板３，第２操作部４及び戻しばね５が取り付けられる。
【００４９】
これらの各部材１〜５は、ホルダ７に形成されたレバー部材取付用舌片５２を前記レバー部材１の各連結部１４に形成された舌片係合部１８にかしめることによって、ホルダ７と一体化される。かように、レバー部材１、第１操作部２、フレキシブル配線基板３、第２操作部４及び戻しばね５をホルダ７の片面に一体に取り付けると、これらの各部材をパッケージ化することができるので、メンブレン８との組立を容易化することができる。また、前記のパッケージ化された部材を任意のメンブレン８に組み付けることができるので、スイッチ付き入力装置の汎用性を高めることができる。
【００５０】
メンブレン８は、固定接点６１及び図示しない所要の電気回路、例えばアクチュエータ駆動回路並びにアクチュエータ制御回路が形成されたプリント回路基板６２と、可動接点６３が形成された可撓性シート６４と、これらプリント回路基板６２と可撓性シート６４との間に配設されたスペーサ６５とより構成されている。前記固定接点６１と可動接点６３とは対向に配置され、前記第２操作部４によってオンオフ操作されるスイッチ６６を構成する。なお、前記プリント回路基板６２と可撓性シート６４とスペーサ６５とは、接着により一体化される。かように、プリント回路基板６２と可撓性シート６４とスペーサ６５とをもってメンブレン８を構成すると、メンブレンスイッチのほかにアクチュエータ駆動回路及びアクチュエータ制御回路等が形成されたプリント回路基板を別途備える必要がないので、スイッチ付き入力装置の構成を簡略化することができ、スイッチ付き入力装置の製造コストを低減することができる。
【００５１】
裏当板９は、メンブレン８の変形を防止して、スイッチ６６のオンオフ切替を確実にするために設けられるものであって、所要の剛性を有する金属板又はプラスチック板を用いることができる。なお、メンブレン８の剛性が十分に高い場合には、この裏当板９を省略することもできる。
【００５２】
これらメンブレン８及び裏当板９は、図２に示すように、メンブレン８をホルダ７のベース板５１側にして当該ベース板５１の下面に当接され、ホルダ７に形成されたメンブレン取付用舌片５３を裏当板９の裏面にかしめることによって、ホルダ７と一体化される。
【００５３】
以上のように構成された本例のスイッチ付き入力装置は、第１操作部２の頂部より第２操作部４の押圧部４１を外向きに突出したので、第１操作部２を操作しようとするとき、第１操作部２に手指が触れる以前に第２操作部４に手指が触れて第２操作部４が第１操作部２内に押し込まれ、メンブレン８に形成された固定接点６１及び可動接点６３からなるスイッチ６６がオン操作される。そして、しかる後に操作者の手指が第１操作部２にかかって歪抵抗素子３５を備えたレバー部材１の操作が可能になるので、歪抵抗素子３５をズーム用アクチュエータ駆動回路に組み込まれたズーム用アクチュエータ調整手段として用いると共に、スイッチ６６をズーム用アクチュエータ駆動回路及びズーム用アクチュエータ制御回路の電源スイッチとして用い、スイッチ６６がオン操作されている期間のみズーム用アクチュエータ駆動回路及びズーム用アクチュエータ制御回路に電源を供給するように構成したときに、確実にスイッチ６６をレバー部材１よりも優先的に操作することができて、スイッチ６６がオフ操作されている期間中の電力消費を抑制することができる。よって、撮像映像機器への実施形態例に係るスイッチ付き入力装置の適用が可能になり、撮像映像機器の消費電力の低減を図ることができて、その連続使用時間を延長することができる。また、スイッチ６６のオン操作とレバー部材１の操作とを１動作で行うことができるので、撮像映像機器の操作性も確保することができる。
【００５４】
以下、本発明に係るスイッチ付き入力装置の適用例を、図１１及び図１２に基づいて説明する。図１１は本発明に係るスイッチ付き入力装置の第１適用例を示すブロック図であり、図１２は本発明に係るスイッチ付き入力装置の第２適用例を示すブロック図である。
【００５５】
図１１は、レバー部材１に備えられた歪抵抗素子を撮像映像機器のズーム用アクチュエータ駆動回路に組み込まれたズーム用アクチュエータ調整手段として用いると共に、前記メンブレン８に備えられたスイッチ６６をズーム用アクチュエータ駆動回路及びズーム用アクチュエータ制御回路の電源スイッチとして適用した場合のブロック図であって、符号７１は電源回路、符号７２はズーム用アクチュエータ駆動回路、符号７３はズーム用アクチュエータ制御回路、符号７４はズーム用アクチュエータを示している。
【００５６】
第２操作部４が未操作の状態では、固定接点６１と可動接点６３とが切離されており、スイッチ６６がオフ状態になっているので、ズーム用アクチュエータ駆動回路７２及びズーム用アクチュエータ制御回路７３には電源回路７１からの電源が供給されず、これらの各回路７２，７３がオフ状態に保たれている。この状態から、第２操作部４が押し下げられ、固定接点６１と可動接点６３とが接触すると、スイッチ６６がオン状態に切り替えられるため、前記の各回路７２，７３に電源回路７１からの電源が供給される。そして、歪抵抗素子３５から出力される歪検知信号がズーム用アクチュエータ制御回路７３に取り込まれ、当該制御回路７３にて歪検知信号に対応するアクチュエータ駆動信号が生成され、当該アクチュエータ駆動信号に基づいてズーム用アクチュエータ７４が駆動されて、撮像映像機器のズームが調整される。
【００５７】
かように、本例では、スイッチ６６がオン操作されている期間のみ、ズーム用アクチュエータ駆動回路７２及びズーム用アクチュエータ制御回路７３に電源回路７１からの電源が供給されるので、スイッチ６６がオフ操作されている期間中の無駄な電力消費を抑制することができ、当該スイッチ付き入力装置が適用された撮像映像機器の消費電力を抑制することができる。よって、撮像映像機器の連続使用時間を伸ばすことができる。
【００５８】
図１２は、レバー部材１に備えられた歪抵抗素子を撮像映像機器のズーム用アクチュエータ駆動回路に組み込まれたズーム用アクチュエータ調整手段として用いると共に、前記メンブレン８に備えられたスイッチ６６をズーム用アクチュエータ駆動回路の電源スイッチとして適用した場合のブロック図であって、符号８１は入力部、符号８２は演算部、符号８３は記憶部、符号８４はゼロ点補正部、符号８５は出力部を示し、その他、図１１と等価な部分には、図１１と同一の符号が表示されている。
【００５９】
本適用例においては、スイッチ６６がオン状態にあるか、オフ状態にあるかに関わりなく、ズーム用アクチュエータ制御回路７３には電源回路７１からの電源が供給されている。そして、当該制御回路７３は、スイッチ６６がオフ操作されている期間中も、歪抵抗素子３５から出力される歪検知信号を繰り返し演算部８２に取り込み、記憶部８３に記憶されている歪検知信号を最新のデータに更新する。そして、スイッチ６６がオン状態に切り替えられたとき、その直前の歪検出信号を基準としてゼロ点補正部８４にて歪抵抗素子３５のゼロ点補正を行い、出力部８５よりアクチュエータ駆動回路７２にゼロ点補正されたアクチュエータ駆動信号を出力する。これによって、ズーム用アクチュエータ７４が駆動され、撮像映像機器のズームが調整される。
【００６０】
かように、本例では、スイッチ６６がオフ操作されている期間中も繰り返し歪抵抗素子３５から出力される歪検出信号の更新を行い、スイッチ６６がオン状態に切り替えられたとき、その直前の歪検出信号を基準として歪抵抗素子３５のゼロ点補正を行うので、歪検出信号のドラフトに起因するズーム用アクチュエータ７４の操作誤差を防止することができ、当該スイッチ付き入力装置が適用される撮像映像機器の信頼性を高めることができる。
【００６１】
【発明の効果】
以上説明したように、本発明によれば、操作時に、まず第２操作部が第１操作部内に押し込まれてスイッチがオン操作され、次いで操作者の手指が第１操作部にかかって歪抵抗素子を備えたレバー部材の操作が可能になるので、前記歪抵抗素子をズーム用アクチュエータ駆動回路に組み込まれたズーム用アクチュエータ調整手段として用いると共に、前記スイッチをズーム用アクチュエータ駆動回路及びズーム用アクチュエータ制御回路の電源スイッチとして用い、前記スイッチがオン操作されている期間のみズーム用アクチュエータ駆動回路及びズーム用アクチュエータ制御回路に電源を供給するように構成したとき、確実にスイッチをレバー部材よりも優先的に操作することができ、スイッチがオフ操作されている期間中の電力消費を抑制することができる。よって、撮像映像機器へのスイッチ付き入力装置の適用が可能になり、撮像映像機器の消費電力の低減を図ることができて、その連続使用時間を延長することができる。また、スイッチのオン操作とレバー部材の操作とを１動作で行うことができるので、撮像映像機器の操作性も確保することができる。
【図面の簡単な説明】
【図１】実施形態例に係るスイッチ付き入力装置の分解斜視図である。
【図２】実施形態例に係るスイッチ付き入力装置の組立状態の断面図である。
【図３】実施形態例に係るレバー部材の上面図である。
【図４】実施形態例に係るレバー部材の下面図である。
【図５】図３のＡ方向から見た実施形態例に係るレバー部材の側面図である。
【図６】図３のＢ方向から見た実施形態例に係るレバー部材の側面図である。
【図７】図３のＣ−Ｃ断面図である。
【図８】実施形態例に係るフレキシブル配線基板の上面図である。
【図９】実施形態例に係るホルダの上面図である。
【図１０】図９のＤ方向から見た実施形態例に係るホルダの側面図である。
【図１１】本発明に係るスイッチ付き入力装置の第１適用例を示すブロック図である。
【図１２】本発明に係るスイッチ付き入力装置の第２適用例を示すブロック図である。
【図１３】従来例に係るスイッチ付き入力装置の要部断面図である。
【図１４】従来例に係るスイッチ付き入力装置の分解斜視図である。
【図１５】従来例に係るスイッチ付き入力装置の使用状態の説明図である。
【符号の説明】
１  レバー部材
２  第１操作部
３  フレキシブル配線基板
４  第２操作部
５  戻しばね
６  ダンパ
７  ホルダ
８  メンブレン
９  裏当板
１５  梁補強部
３５  歪抵抗素子
６１  固定接点
６３  可動接点
６６  スイッチ
【図１】
0003667664.tif 000002
【図２】
0003667664.tif 000003
【図３】
0003667664.tif 000004
【図４】
0003667664.tif 000005
【図５】
0003667664.tif 000006
【図６】
0003667664.tif 000007
【図７】
0003667664.tif 000008
【図８】
0003667664.tif 000009
【図９】
0003667664.tif 000010
【図１０】
0003667664.tif 000011
【図１１】
0003667664.tif 000012
【図１２】
0003667664.tif 000013
【図１３】
0003667664.tif 000014
【図１４】
0003667664.tif 000015
【図１５】
0003667664.tif 000016